(57)【特許請求の範囲】
【請求項１】
内装用パッドと、スペーサとの組合せを有する梱包用内装材であって、
前記内装用パッドは、ベースボードと押さえシートとを有し、
前記ベースボードは、運搬すべき物品を収納する方形の板であり、板面に付された折曲線によって区画された立下り部分をベースボードの両側に、立上り部分を両端にそれぞれ有し、
前記立下り部分は、前記ベースボードの両端縁から下向きに、前記立上り部分は、前記ベースボードの両側縁から上向きに、それぞれ折り返される部分であり、
前記押さえシートは、少なくとも両端が前記ベースボードの前記両立下り部分の端縁に固定され、前記ベースボード上の物品の表面を覆い、前記立下り部分の折り曲げにより、緊張して物品を前記ベースボードに押付けて定位置に保持させるものであり、
前記スペーサは、サポートの対を有し、
前記サポートの対は、水平部分と垂直部分と傾斜部分とからなる断面が直角三角形の構造体であり、基板に結合されて基板の両側に形成され、
前記基板は、横置きされたボトルの胴部の下周面を支える平板であり、
前記水平部分は前記直角三角形の構造体の底辺を構成する部分であり、前記垂直部分は、垂直に立ち上げて前記基板上に横置きされたボトルの胴部の側部周面を支える部分であり、前記傾斜部分は前記水平部分と前記垂直部分とをつなぎ、前記基板の両側縁に向けて下傾姿勢で配置されるものであり、
前記垂直部分の高さは、前記基板の板面から前記基板上に横置きされたボトルの首部最下方と接する面までの高さよりも高くなるよう構成され、
前記水平部分及び前記基板には、前記直角三角形の構造体の長手方向上で折り曲げ可能なストッパがそれぞれ構成され、前記ストッパを重ね合わせて折り曲げることにより、前記水平部分は前記基板の板面に結合されるものであり、
前記スペーサは、前記サポートの対間に横置きされたボトルを支え、これを収納物品として前記内装用パッドの前記ベースボードと前記押さえシート間に差し込まれ、
前記サポートの対は、前記内装用パッドの前記立下り部分の折り曲げにより緊張した前記押さえシートによって前記基板上のボトルとともに前記ベースボードに保持されるものであることを特徴とするボトルの梱包用内装材。
【請求項２】
前記スペーサは、前記基板と、前記基板上に組み立てられた前記サポートの対とを有し、
前記サポートの対は、前記基板の両側縁を起立させて形成され、前記水平部分と前記垂直部分と前記傾斜部分とからなる断面が直角三角形の構造体であり、
前記基板は、横置きされたボトルの胴部の下周面を支える平板であり、
前記両サポートの前記垂直部分はボトルを支える保持面として互いに向き合わせて前記基板上の長手方向に沿って平行に配列され、前記基板上に横置きされたボトルの胴部の側部周面を支える部分となり、
前記水平部分は前記基板上に支えられて前記垂直部分の下縁を前記基板に支持させる部分となり、
前記傾斜部分は前記垂直部分の上縁と前記水平部分の端縁を支持する部分となるものであることを特徴とする請求項１に記載のボトルの梱包用内装材。
【請求項３】
前記対のサポートにそれぞれ形成された前記傾斜部分は、ボトルの胴部に圧しつけられた前記押さえシートを前記ボトルの胴部上周面から前記基板の板面に向けて下傾方向に誘導して前記ベースボードに緊締させるものであることを特徴とする請求項１に記載のボトルの梱包用内装材。
【請求項４】
前記内装用パッドと、前記スペーサとの組合せは、内装材として外箱に内装され、
前記スペーサに備えた前記サポートの対は、前記外箱内にあってビンの両側からの衝撃吸収空間を形成するものであることを特徴とする請求項１に記載のボトルの梱包用内装材。
【請求項５】
前記対のサポートにそれぞれ形成された前記傾斜部分の表面は、文字、図形、模様などを表示する美装面として利用されるものであることを特徴とする請求項１に記載のボトルの梱包用内装材。
【発明の詳細な説明】
【技術分野】
【０００１】
本発明は、ワインボトルのほか洋酒のボトル、日本酒のビン等に見られるような首部を有する胴部の断面形状が円形、角型その他の形状のボトル（以下ボトルと略称する）の梱包に好適な梱包用内装材に関する。
【背景技術】
【０００２】
物品運送用の梱包具として図１１に示すようにベースボード２１と、両側縁をベースボードに取り付けた弾力性を有する押さえシート２２との組合わせからなる梱包具がある（特許文献１参照）。この梱包具は押さえシート２２とベースボード２１との間に物品Ｍを差し込み、ベースボード２１の両側縁を下向きに折り曲げて押さえシート２２を緊張させ、物品Ｍをベースボード２１に押付けて定着させるというものである。この梱包具は内装用パッドとして用い、物品Ｍを梱包して外箱内に収められる。説明は省略するが、特許文献１に記載の梱包具は、ベースボード２１の下方に緩衝用の空間を形成する例である。
【０００３】
この梱包具は、ノートパソコンのような機器類メーカの補修センターへ、あるいは逆に修理、保守、補修後、補修センターからユーザに返送することを主目的として開発されたものであるが、勿論ノートパソコンのような機器類の搬送用に限られるものではない。
【０００４】
ところで、上記梱包具は押さえシート２２とベースボード２１との間に物品Ｍを差し込み、ベースボード２１の両側縁を下向きに折り曲げて押さえシー２２を緊張させるとともに緊張したシートが縮もうとする力を作用させて物品Ｍを定位置に保持させるものである。ベースボード２１に押付けて定位置に保持させる物品Ｍはノートパソコンのような機器類の梱包だけでなく、ガラス製のボトルの梱包にも適用が可能であるが、押さえシート２２にポリウレタンフィルムやポリエチレン系フィルムのような弾力性を有する緩衝材料を用いた場合に以下のような問題をクリアしなければならない。
【０００５】
ボトルの保持力をたかめるため、押さえシートをボトルに強く押し付けてベースボード２１に保持させた状態で落下試験を行うと、その衝撃でボトルが落下方向にボトルがベースボード２１上を移動し、特にボトルの両側面が落下の衝撃を強く受けて破損するという問題がある。これはベースポードの両側面が外箱の側面と対面しており、外箱は１枚の段ボールで形成されているため、ベースボード２１上を移動したボトルが外箱の側面に近づくと、外箱に加えられた衝撃の影響を強く受けるからである。また、ボトルの胴部が押さえシートに加圧されるだけで動きが制約されないままに梱包された状態では外部から衝撃力を受けたときに、ボトルの首の部分に不測の力が作用して首の付け根部分が割れる虞があった。このような理由から、ボトルを安定して梱包する手段の開発が望まれていた。
【先行技術文献】
【特許文献】
【０００６】
【特許文献１】特許第４４２９１９２号公報
【発明の概要】
【発明が解決しようとする課題】
【０００７】
解決しようとする問題点は、特許文献１に記載されているような押さえシートでベースボードの板面に物品を押し付けてパッキングする形式の梱包具を用いてボトルを梱包する場合に、押さえシートに用いるフィルムの弾性強度の問題、内装用パッドに用いる段ボールの座屈の問題、押さえシートによるビン類の梱包方法など解決すべき問題が残されていたという点である。
【課題を解決するための手段】
【０００８】
本発明は、特許文献１に記載されているような構造の梱包具を内装用パッドとして内装用パッドとスペーサとの組合せを用い、スペーサに備えた対のサポート間に横置きされたボトルを支えて内装用パッドのベースボードと押さえシート間に差し込み、内装用パッドの立下り部分の折り曲げにより押さえシートを緊張させ、その緊張力によって対のサポート間に横置きされたボトルの胴部を支えてベースボードに押付けて定位置に保持させる点を最も主要な特徴とする。
【発明の効果】
【０００９】
本発明によれば、スペーサの基板上で対のサポート間にボトルを搭載し、これを内装用パッドのベースボードと押さえシート間に差し込み、内装用パッドの立下り部分を下向きに折り曲げることによって、押さえシートを緊張させ、その緊張力を利用して基板上に搭載されたボトルを対のサポート間に挟んだ状態でスペーサの押さえシートを内装用パッドのベースボードに押付けて定位置に安定に保持させることができる。
【００１０】
また、サポートの対は、水平部分と垂直部分と傾斜部分とからなる断面が直角三角形の構造体のため強度が大きく、したがって変形しにくく、押さえシートの緊締による締付け力がサポートの傾斜部分に作用し、その締付け力によって、スペーサを定位置にとどめ、同時にボトルの胴部に適度な締付け力を与えることができる。本発明によれば、ボトルの胴部上周面に押さえシートの頂点が位置し、ボトルの胴部両側は対のサポートに支えられて左右に振れることがなく、不測の事態にも、ボトルの首部分に無理な力が加わらず、対のサポートの間に安定に支えることができる。
【００１１】
本発明において、サポートの対は、断面が中空の直角三角形の構造体であり、外箱の側方から加えられた衝撃力を傾斜部分と水平部分とに分散して支えることによって緩和することができる。また、サポートは、内装用パッドのベースボードの梁構造となって補強するとともに、緩衝材として機能し、外箱の側方から加えられる衝撃力を有効に吸収させることができる。実際にスペーサと内装用パッドとの組合せを用いてボトルを梱包し、これを収納した外箱について落下試験をおこなったところ、ボトルは破損することがなく、また首の付け根部分で割れることもなかった。
【００１２】
さらに、ワインボトルが内祝い・お祝い・お返しなどのギフトに用いられる場合には、スペーサの両サポートの傾斜面の板面を美装面として活用し、ギフト品などである旨の表示する文字、図形、模様などを表示できるため、単なる梱包用内装材の機能にとどまらず、商品のディスプレイとしてデザイン効果を得ることができる。
【図面の簡単な説明】
【００１３】
【図１】（ａ）は本発明の１実施例を示す内装用パッドとスペーサとの組合せを示す図である。（ｂ）は内装用パッドの図（ａ）のＸ−Ｘ線断面図およびトレーの図（ａ）のＹ−Ｙ線の拡大断面である。
【図２】スペーサにボトルを搭載した例を示す図である。
【図３】スペーサの展開図とその組立図である。
【図４】ボトルを搭載したスペーサを内装用パッドに差し入れる要領を示す図である。
【図５】ボトルを搭載したスペーサを内装用パッドに差し込んだ後、立下り部分をベースボードの裏面に折重ね、立上り部分を起立させた状態を示す図である。
【図６】内装用パッドの両立上り部分を起立させた状態を示す図である。
【図７】内装用パッドの両立上り部分を起立させた状態で外箱に格納する要領を示す図である。
【図８】内装用パッドの他の実施例を示す図である。
【図９】（ａ）はスペーサに２本のワインボトルを搭載する例を示す図、（ｂ）は（ａ）のＡ１−Ａ１線断面図である。
【図１０】スペーサにフラップを設けた例を示す図である。
【図１１】物品運送用梱包具の従来例の一つを示す図である。
【発明を実施するための形態】
【００１４】
本発明は特許文献１の梱包具を内装用パッドとして用いてボトルを梱包するという目的を、内装用パッドに対のサポータを有するスペーサを組合せせることで実現した。
【実施例１】
【００１５】
本発明による梱包用内装材は、内装用パッド１と、スペーサ２との組合せである。
内装用パッド１は、図１（ａ）に示すように、ベースボード３と、押さえシート４との組を有し、収納物品を保持して外箱内に収容するものである。
【００１６】
図１（ａ）において、ベースボード３は、板面中央に物品搭載領域Ｚが確保され、物品搭載領域Ｚの板面の両側縁に立下り部分５、５を有し、前後両端縁に立上り部分６、６を有している。
【００１７】
立下り部分５は長方形をなすベースボード３の両側部分に付された折曲線７ａから先の部分であり、立上り部分６はベースボード３の両端部分に付された折曲線８ａから先の部分である。
【００１８】
この実施例では立下り部分５は、のちに折曲線７ａで下向きに折曲され、ベースボード６の下面に折り重られる。
【００１９】
また、立上り部分６は、折曲線８ａで上向きに折り返して垂直姿勢に立ち上げる部分となる。立下り部分５と立上り部分６とが交わるベースボード３の四隅の部分は保形部分９である。保形部分９は、立下り部分５を下向きに、立上り部分６を上向きに折り返したときに立上り部分６を手で保持している限り、立下り部分５をベースボード３の裏面に圧接した状態を保ち、内装用パッド１に折り曲げ形状を保持させる部分である。物品の搭載領域Ｚは、ベースボード３の板面から立下り部分５と立上り部分６および４隅の保形部分９を除いた残りのベースボードの板面である。
【００２０】
この実施例は、保形部分９と立上り部分６との間に上面開放の箱体を形成する例である。図１（ａ）において、保形部分９と立上り部分６とに跨り、前記折曲線８ａから一定間隔を置いて前記折曲線８ａと平行に折曲線８ｂが引かれ、折曲線７ａ、８ａの交点からから端を発して折曲線７ａの延長方向を互いに間隔が開く方向に伸び、さらに折曲線８ｂとの交点から立上り部分６の端縁に向けて平行に伸びる２本の折曲線７ｂ、７ｃを付している。
【００２１】
これによって、立下り部分５を折曲線７ａに沿って下向きに、立上り部分６を折曲線８ａに沿って上向きに起立させるとともに折曲線７ｂ、７ｃに沿って立上り部分６の両側部分をそれぞれ断面コ型に折曲すると、図６のように内装用パッド１の両端部分には、上面が開放され、背面の一部が開放され、底が折曲線７ａ、８ａの交点に収れんする箱体Ｃが形成される。
【００２２】
この箱体Ｃ内には例えば商品の説明書、商品見本、その他のものを収納することができる。立上り部分６に形成される箱体は部品の収納用にとどまらず、梱包具を２段以上積み重ねて外箱内に収納する場合に上段の梱包具を隔離するためのスタッキングとして利用することもできる。なお、折曲線７ａ、７ｂ、７ｃ、８ａ、８ａの合流点に五角形の開口を設けておくと、立上り部分６の折り曲げが容易になる。
【００２３】
押さえシート４は、図１（ｂ）のように、両端をベースボード３の裏面に折返して、その左右側縁（立下り部分の側縁）に固定したシートである。もっとも、押さえシート４は必ずしもと両端を折り返してベースボード３の裏面に張り付けなければならないものではなく、接合強度が十分であればベースボード３の表面側の両端に張り付けられていてもよい。
【００２４】
なお、フィルム業界では厚さが２００μｍ以下を「フィルム」、２００μｍより厚いものを「シート」と慣例的に区別するケースが多いが、伸縮性に富み、所要の引き裂き強度が得られればシートの厚みは問わない。厚さ２００μｍ以下のフィルムであっても押さえシート４に使用できる。押さえシート４には、伸縮性に富み引き裂き強度の大きいポリウレタンフィルム（又はシート）、伸縮性のあるポリオレフィン系のフィルムが適している。
【００２５】
内装パッド１は必ずしも上記の組立体に限るものではない。箱体Ｃが不要のときには、ベースボード３に付された折曲線７ａをそのまま立上り部分６の板面に延長させることによって保形部分９を立上り部分６から区画し、立下り部分５を折曲線７ａで折り曲げ、これをベースボード３の裏面に折重ねることによって保形部分９はおのずから立上り部分６の背面に密着し、そのまま立上り部分６を折曲線８ａで折り曲げて図８のように正立姿勢に起立させることによって組立てればよい。
【００２６】
さらには特許文献１に記載されているようにベースボードの下方に緩衝用の空間が形成される構造の梱包具を本発明の内装用パッドとして用いることができる。
【００２７】
本発明に用いる内装用パッド１は、ベースボード３の下方に形成される緩衝用の空間の有無にかかわらず、要するにベースボード３と押さえシート４とからなり、押さえシート４がベースボード３に取り付けられ、押さえシート４とベースボード３間に物品を挟み、ベースボード３の立下り部分５をベースボード３の下面に折り重ねて押さえシート４を収納物品に押し付けることによって収納物品をベースボード３に定着させる構造を備えていればよい。
【００２８】
スペーサ２は、基板１１の両側にサポート１２の対を有している。サポート１２の対は、水平部分１２ａと垂直部分１２ｂと傾斜部分１２ｃとからなる断面が直角三角形の構造体であり、基板１１は、段ボールの平板であり、図２に示すように横置きされた胴部が円形断面のボトルＢの場合には平板上にボトルＢの胴部下周縁に接してボトルの下周面を支える。また、水平部分１２ａは前記直角三角形の構造体の底辺を構成する部分であり、垂直部分１２ｂは、垂直に立ち上げて前記基板１１上に横置きされたボトルＢの胴部の側部周面を支える部分であり、傾斜部分１２ｃは水平部分１２ａと垂直部分１２ｂとをつなぎ、水平部分１２ａに向けて下傾姿勢で配置される部分である。
【００２９】
図３において、基板１１の板面は、中心線Ｏ−Ｏを挟んで中心線側から順に折曲線ａ１、ａ２、ａ３が付され、基板１１の外側縁をａ４とした時に、ａ２−ａ１の領域が傾斜部分１２ｃ、ａ３−ａ２の領域が垂直部分１２ｂ、ａ４−ａ３の領域が水平部分１２ａとなる。
【００３０】
図３において、まず、基板１１に対してａ２−ａ１の領域を傾斜方向に起立させて傾斜部分１２ｃを傾斜姿勢に立ち上げ、次いで折曲線ａ３で垂直方向に下向きに折り返して垂直部分１２ｂを形成し、さらにａ４−ａ３の領域を水平に折返し、基板１１の外側縁をａ４を突き当てて水平部分１２ａを形成し、水平部分１２ａと、基板１１の対応箇所にストッパ１３ａ、１３ｂとして形成した切起し縁の位置を合致させて両ストッパ１３ａと１３ｂの位置をそれぞれ合わせ、両ストッパ１３ａと１３ｂとを重ね合わせて上向きに立ち上げることによって水平部分１２ａを基板１１の板面に結合する。
【００３１】
これによってサポート１２は、定型を保って基板１１の定位置に固定される。この例ではサポート１２を基板１１の定位置に固定するための一手段として切起し縁によるストッパ１３ａ、１３ｂを用いたが、要するにサポート１２は、基板１１の定位置に設けられればよいのであって基板１１の一部を利用してサポート１２を形成する場合に限られるものではない。なお、中心線Ｏ−Ｏを挟んでａ１の内側の折り重ねられた水平部分１２ａの一方の端である折曲線ａ３と相手側の折曲線ａ３間の領域がボトルＢの搭載面となる。
【００３２】
垂直部分１２ｂはボトルＢの胴部両側対向面を支える保持面として基板１１上の長手方向に沿って互いに向き合わせに平行に配列され、基板１１上に横置きされたボトルＢの胴部側面一部を支える部分となり、水平部分１２ａは基板１１上に支えられ、垂直部分１２ｂの下縁を基板１１に支持させる部分となり、傾斜部分１２ｃは垂直部分１２ｂの上縁と水平部分１２ａの端縁を支持する部分となる。
【００３３】
次に本発明の内装材を用いて、首部を有する胴部の断面形状が円形のボトルＢを梱包する要領を説明する。図２において、まず、スペーサ２の対のサポート１２、１２間に横置きされたボトルＢの胴部を垂直部分１２ｂ、１２ｂで支えて図４に示すように内装用パッド１の両立下り部分５，５を最初やや上向きに折り返してベースボード３と、押さえシート４との間を開き、開かれたベースボード３と、押さえシート４との間にボトルＢを搭載したスペーサ２を差し込む。
【００３４】
ついで、図５に示すように、押さえシート４の張力に抗して両立下り部分５を、折曲線７ａに沿って下向きに折り曲げ、さらにベースボード３の裏面に折重ねる。これによって、押さえシート４は、立下り部分５に引っ張られて緊張する。
【００３５】
ついで、図６のように立上り部分６をベースボード３の両端縁から上向きに折り返すとともに立上り部分６に上面開放の箱体Ｃを形成する。両立上り部分６、６を起立姿勢に保持するかぎり、立下り部分５はベースボード３の裏面に圧接され、押さえシート４を緊張させ、スペーサ２上のボトルＢを対のサポート１２、１２間に保持してベースボード３の物品搭載面Ｚに押し付ける。これによってスペーサ２上のボトルには前後左右方向の位置ずれがなく、ボトルＢの前後方向については、ボトルＢとサポート１２、１２の垂直部分１２ｂ、１２ｂ間の摩擦抵抗で位置ずれが生ぜず、ベースボード３上の定位置に保持される。次いでそのまま図７のようにボトルＢを搭載したスペーサ２を収納した内装用パッド１を外箱１０内に入れ、外箱１０を施蓋して梱包を完了する。
【００３６】
外箱１０内では、内装用パッド１は、外箱１０の形状に規制されて折り曲げ形状を保ち、外箱１０の下底を押付け、立上り部分６は、外箱１０の上底面に圧接される。これによって、内装用パッド１は、外箱１０内で定型を保ち、内装用パッド１に支えられて外箱１０内に格納されたスペーサ２上のボトルＢは、両サポート１２、１２間に支えられ、押さえシート４に押し付けられてベースボード３の定位置に保持される。
【００３７】
図９（ａ）、（ｂ）は、２本のボトルを梱包する例である。この例によれば、スペーサ２の基板１１に形成するサポート１２、１２の対の間隔を２本のボトルの胴部を受け入れるに必要な間隔に設定し、両サポート１２、１２の垂直部分間に２本のボトルＢ，Ｂを受け入れ、両ボトルＢ、Ｂ間を仕切り板１４で隔離する。
２本のボトＢ、Ｂを梱包するためには、スペーサだけなく、梱包用パットについても２本のボトルの梱包に必要な横幅を有するベースボードと押さえシートとの組合せが必要であるが、スペーサにボトルを搭載し、これを収納物品として内装用パッドのベースボードと押さえシート間に差し込み、内装用パッドの立下り部分の折り曲げにより緊張した押さえシートによって基板上のボトルとともにサポートをベースボードに保持させる点は、１本のボトルを梱包する場合と同じである。
【００３８】
図１０は、スペーサ２の両端縁にフラップ１６を付設した例である。フラップ１６は、図３に示す基板１１の板面の中心線Ｏ−Ｏを挟んで折曲線ａ１−ａ１の間隔で基板１１の両端を一定の幅で張り出させたものであり、その基部の折曲線で折り曲げが可能である。スペーサ２の両端縁で両フラップ１６を上向きに立ち上げることにより、両サポート１２、１２間に支えたボトルＢの落下を防止でき、両フラップ１６を倒した状態でボトルＢを搭載したスペーサ２を開かれたベースボード３と、押さえシート４との間に差し込んだのち、両フラップ１６を内装用パッド１の両立上り部分６の内面に添わせて立ち上げることにより、ボトルの緩衝材として利用することができる。
【００３９】
以上実施例では、胴部が円形断面のボトルを梱包する場合の実施例を示したが、胴部に曲面を有するボトルのほか断面形状が四角あるいは五角形などの多角形の角型ボトルなどであってもその梱包要領は同じである。胴部が円形断面ボトルであれば、その周面の曲面一部が基板及び垂直部分の板面に線状に接して支えられるのに対し、胴部の断面形状が四角あるいは５角形等の多角形であれば、横置きされたボトルの一定範囲の下周面及び側部周面一部の平らな面がそれぞれ基板及び垂直部分の板面に支えられる。
【００４０】
本発明において、対のサポートにそれぞれ形成された傾斜部分は、横置きされたボトルＢの胴部に圧しつけられた押さえシート４をボトルＢの上周面から基板１１の板面に向けて下傾方向に誘導し、これによってスペーサ２を内装用パッド１のベースボード３に緊締させることができる。また、スペーサに備えたサポートの対は、外箱内にあってビンの両側からの衝撃吸収空間を形成することができる。
【００４１】
本発明において、図１（ａ）のように立上り部分６の板面に手指の差し込みが可能な大きさの横穴１５を開口すれば、その開口を内装用パッド１を掴むための把手として利用できる。また、サポートにそれぞれ形成された傾斜部分は水平部分と垂直部分とをつなぎ、基板の両側縁に向けて上向きの下傾姿勢で配置されるため、その表面に文字、図形、模様などを付すことによって梱包用内装材にディスプレイの機能を付与することができる。
【産業上の利用可能性】
【００４２】
本発明は、首部を有する胴部が円形あるいは角型断面のボトルであれば必ずしもワインボトルに限るものではないが、サポートにそれぞれ形成された上向きの下傾姿勢で配置される傾斜部分の表面に祝意、謝意を表す文字、図形、模様を表示して贈答あるいは記念の高級ワインの宅配用内装材に活用できる。
【符号の説明】
【００４３】
１  内装用パッド
２  スペーサ
３  ベースボード
４  押さえシート
５  立下り部分
６  立上り部分
７ａ、７ｂ、７ｃ  折曲線
８ａ、８ｂ  折曲線
９  保形部分
１０  外箱
１１  基板
１２  サポート
１２ａ  水平部分
１２ｂ  垂直部分
１２ｃ  傾斜部分
１３  ストッパ
１４  仕切板
１５  横穴
１６  フラップ
【図１】
0006473703.tif 000002
【図２】
0006473703.tif 000003
【図３】
0006473703.tif 000004
【図４】
0006473703.tif 000005
【図５】
0006473703.tif 000006
【図６】
0006473703.tif 000007
【図７】
0006473703.tif 000008
【図８】
0006473703.tif 000009
【図９】
0006473703.tif 000010
【図１０】
0006473703.tif 000011
【図１１】
0006473703.tif 000012